(57)【特許請求の範囲】
【請求項１】
フランジ部を配した容器開口部が上方に向けて形成された容器本体と、前記フランジ部に着脱可能な容器用オーバーキャップとを備えた容器であって、
前記容器用オーバーキャップには、前記容器開口部より脱離時、前記フランジ部の下面に係合するよう、上方に係合当接端面を有する上向き係止切り込み部が、オーバーキャップ周壁に切り込みを入れて、内側に向けて押出すことによって内周壁に沿って形成されており、
該上向き係止切り込み部は、その係合当接端面が前記フランジ部の下面に係合することによって該オーバーキャップの前記容器開口部からの脱離を防止するとともに、該オーバーキャップを前記容器開口部に対して上下に移動可能な状態で容器に冠着させることを特徴とする容器。
【発明の詳細な説明】
【技術分野】
【０００１】
本発明は、ジュース、コーヒー等の液状食品、ヨーグルト、プリン等の半固形状食品、スナック菓子等固形状食品、アイスクリーム、氷菓等の冷菓食品等の各種食品を収納して密封包装した容器の口部に容器用オーバーキャップを冠着する容器に係わり、該容器の搬送時に外的振動によって容器用オーバーキャップが離脱し難くい容器に関するものである。
【背景技術】
【０００２】
ジュース、コーヒー等の液状食品、ヨーグルト、プリン等の半固形状食品、スナック菓子等固形状食品、アイスクリーム、氷菓等の冷菓食品等の各種食品を収納して密封包装される容器１００には、図１０及び図１１に図示する如く、その容器本体１１１に上向きに開口する開口部１１２を有し、該開口部１１２の外周に沿ってフランジ部１１３が延設されてる。そして、この開口部１１２より内容物を充填、収納した後、フランジ部１１３部の上面を覆うかたちで密封蓋１１４を載置してシールして、容器本体１１１の開口部１１２を密封している。然るに、かかる容器１００の前記密封蓋１１４は、軽量化、低価格化のために、可及的に薄い紙や、アルミニウム、金属、プラスチック材料によって形成されているものである。
【０００３】
このようなことより、かかる密封した容器本体１１１を流通、販売する段階では、密封した容器本体１１１を段ボール内に積み重ねて梱包して、これを運搬して流通せしめたり、又、販売する場合に密封した容器本体１１１を積み重ねて陳列すようにしている。このように積み重ねた際、密封蓋１１４は薄いために破損し易く、又フランジ部１１３でのシール部が剥離し易く、それ故消費者に届く前に密封性がそこなわれる不都合があった。
このため、従来の該種容器１００では、容器本体１１１の容器開口部１１２にシールした密封蓋１１４の上に、更に、プラスチック薄板材でなるオーバーキャップ１０１を冠着し、流通段階及び販売段階における密封性の破壊を防止するようにし、併せて、密封蓋１１４の汚れを防止して衛生状態を担保したり、高級感を演出して美粧性を高めたりしていた。
【０００４】
しかるに、従来の上記したオーバーキャップ１０１は、図１０、図１１に図示する如く、オーバーキャップ１０１の中位位置の周壁に沿って設けられた容器本体１１１のフランジ部１１３を収納するフランジ係合部１０２の下部に、オーバーキャップ１０１の周壁に沿って内側に膨出する複数個の膨出突部１０３、１０３、…、…が形成されていて、オーバーキャップ１０１を容器本体１１１の容器開口部１１２に冠着せしめる時に、この膨出突部１０３を、容器本体１１１に配設したフランジ部１１３に強制嵌合させて、容器本体１１１の容器開口部１１２に係合せしめる［図１１参照］ものである。
【０００５】
ところで、かかる膨出突部１０３と容器本体１１１のフランジ部１１３とが単に嵌合しただけでは、容器１００の輸送中や陳列中にオーバーキャップ１０１が容器本体１１１から脱離し易く、特に自動販売機で販売する場合には、顧客の取り出し口に容器１００が落下する際の衝撃により、オーバーキャップ１０１が容器本体１１１から脱離してしまうという問題がしばしば生じていた。
そして、かかる問題を解消せしめるため、オーバーキャップ１０１を容器本体１１１から脱離し難い構造にすると、オーバーキャップ１０１を容器本体１１１に係合させることが困難になるという不都合が生じることとなると共に、係合構造を複雑化し、製造コストを高価に上昇せしめる要因となる不都合があった。
【発明の開示】
【発明が解決しようとする課題】
【０００６】
本発明は上記した事情に鑑みなされたもので、その解決すべき課題は、容器本体に、嵌合操作し易く係合冠着せしめ得ると共に、係合嵌着したら脱離し難く冠着を保持し得る、製造コストの安価な容器のオーバーキャップを提供することにある。
【課題を解決するための手段】
【０００７】
本発明は、上記課題を解決するため、以下の如き手段を講じたものである。
請求項１に係わる発明として、フランジ部を配した容器開口部が上方に向けて形成された容器本体と、前記フランジ部に着脱可能な容器用オーバーキャップとを備えた容器であって、前記容器用オーバーキャップには、前記容器開口部より脱離時、前記フランジ部の下面に係合するよう、上方に係合当接端面を有する上向き係止切り込み部が、オーバーキャップ周壁に切り込みを入れて、内側に向けて押出すことによって内周壁に沿って形成されており、該上向き係止切り込み部は、その係合当接端面が前記フランジ部の下面に係合することによって該オーバーキャップの前記容器開口部からの脱離を防止するとともに、該オーバーキャップを前記容器開口部に対して上下に移動可能な状態で容器に冠着させることを特徴とする。
【発明の効果】
【０００８】
本発明の容器用オーバーキャップは、下記の如き形態で実施され、以下の如き効果を奏する。
本発明の容器用オーバーキャップによれば、容器本体に、嵌合操作が極めて容易に係合冠着せしめ得ると共に、係合嵌着したら脱離し難く、該オーバーキャップを冠着した容器の搬送や陳列に当たって生じる外的衝撃に遭遇しても冠着を保持し、商品評価を良好に保ち得ることが出来る。
しかも構造が簡単で、製造コストの安価なオーバーキャップを提供することが出来る。
【発明を実施するための最良の形態】
【０００９】
本発明の容器用オーバーキャップの実施の形態について、図面を参照して説明する。
＜第１の実施の参考例＞
本発明の理解を容易にするため、説明の順番を変更し、最初に、本発明の第１の実施の参考例について説明する。
図１は、本発明の第１の実施の参考例の容器用オーバーキャップ１を説明する正面図、図２は前記オーバーキャップ１を容器本体１１１に冠着した時の作用を説明するもので、図２−（Ａ）はオーバーキャップ１を容器本体１１１に冠着した状態の冠着部の概略部分拡大断面図、図２−（Ｂ）はオーバーキャップ１の容器本体１１１への冠着状態における脱離防止時の冠着部の概略部分拡大断面図である。なお、図１及び図２において、図１０と共通する構成部は同一符号を付し詳細な説明は省略する。
【００１０】
図１において、本発明の容器用オーバーキャップ１は天頂に天頂板２が配され、その底部は容器本体１１１が挿通されるよう開口部３が開口されている。そして前記天頂板２と底部開口部３との中間位置には、容器本体１１１の開口１１２に配されたフランジ部１１３が収容されるフランジ係合部４が設けられている。
そして該オーバーキャップ１のフランジ係合部４の開口部３側の下方の周壁の周方向に沿って、内側に膨出する周方向長軸の楕円状の膨出突部５が複数個設けられている。そして該膨出突部５は、その頂部近傍に周方向に沿って切り込み６を刻切して、膨出突部５を上半部５ａ、下半部５ｂに分断してなるものである。そして膨出突部５の下半部５ｂの上面切り込みを、上向き係止切込み部７としたものである。
【００１１】
かかる構成よりなるこの実施の態様のオーバーキャップ１は、図２−（Ａ）に図示する如き態様で、容器本体１１１の開口部１１２のフランジ部１１３にフランジ係合部４を嵌合して冠着係合される。即ち、密封蓋１１４で開口部１１２をシールした容器本体１１１の開口部１１２のフランジ部１１３に、オーバーキャップ１を開口部３を介して覆いかぶせて押圧し、容器本体１１１のフランジ部１１３の縁端がオーバーキャップ１の膨出突部５に当接する状態を強制的に乗り越えせしめて、フランジ係合部４に容器１１１のフランジ部１１３を収納係合せしめて、オーバーキャップ１を容器本体１１１の開口部１１２に冠着保持せしめる。
【００１２】
このように容器本体１１１の開口部１１２に冠着して保持された本発明の第１の実施の参考例のオーバーキャップ１は、この容器に、その搬送中や陳列中に外的衝撃が付与された時に、上下に移動するが、図２−（Ｂ）の如き作用して、容器本体１１１より脱離し難くなり、脱離を防止して、冠着が保持される。
即ち、図２−（Ｂ）において、外的衝撃によりオーバーキャップ１が上方に向けて移動すると、膨出突部５の上半部５ａは容器本体１１１のフランジ部１１３の縁端で、外方に向けて押し込まれ、膨出突部５の下半部５ｂの上端面で形成されている上向き係止切込み部７が前記容器本体１１１のフランジ部１１３の下面に当接して、オーバーキャップ１が上方に向けて移動するのを係止することとなって、オーバーキャップ１は容器本体１１１から離脱することが防止される。
【００１３】
このような第１の実施の参考例のオーバーキャップ１にあっては、衝撃によって生ずる容器本体１１１からの離脱を効果的に防止すると共に、構造が簡単で加工が容易であり、製造コストが安価である利点がある。更に、複数個を重ね合わせた際の安定性やコンパクト性が良く、スタック性が優れている。
なお、上記膨出突部５の頂部近傍に刻切する切り込み６として、上記した横方向の「−」印状の切り込みの他に、台形状、「∩」印状、「Π」印状、「Λ」印状等の切り込みにして上向き係止切込み部７を形成しても同様の作用効果を奏する。
なお又、上記した上向き係止切り込み部７の設置数は複数個で設ければ離脱防止効果を奏するが、３個所以上の数設ければより好ましい。
【００１４】
＜本発明の実施の形態＞
次に、本発明のオーバーキャップの実施の形態について説明する。図３は、本発明の実施の形態の容器用オーバーキャップの一例を説明する正面図、図４は該実施の形態のオーバーキャップ１１を容器本体１１１に冠着した時の作用を説明するもので、図４−（Ａ）はオーバーキャップ１１を容器本体１１１に冠着した状態の冠着部の概略部分拡大断面図、図４−（Ｂ）はオーバーキャップ１１の容器本体１１１への冠着状態における脱離防止時の冠着部の概略部分拡大断面図である。又、図５は、本発明の実施の形態の変形例のオーバーキャップ１１の正面図である。
なお、図３、図４及び図５において、図１及び図２と共通する構成部は同一符号を付し詳細な説明は省略する。
【００１５】
本発明の実施の形態のオーバーキャップ１１の特徴は、上記図１及び図２に図示した第１の実施形態のオーバーキャップ１において周壁に沿って内側に膨出する膨出突部５の頂部近傍周方向に沿った「−」印状や「∧」印状の切り込み６を刻切してこれを分断し、その下半部５ｂの上面を上向き係止切り込み部７としたことに代えて、図３及び図４に図示する如く上向き係止切り込み部１７として、フランジ係合部４の下部の周壁に沿って、例えば「П」印状の切り込み１６を入れてその基部を周壁の内側に向けて押し込み、その上部先端１５ａが内側に突出する舌片１５を形成して、該舌片１５の上部先端部１５ａを上向き係止切り込み部１７としたものである。
【００１６】
かかる構成よりなる本発明の実施の態様のオーバーキャップ１１は、図４−（Ａ）に図示する如き態様で、容器本体１１１の開口部１１２のフランジ部１１３をフランジ係合部４に嵌合して冠着係合される。即ち、密封蓋１１４で開口部１１２をシールした容器本体１１１の開口部１１２のフランジ部１１３に、オーバーキャップ１１を開口部３を介して覆いかぶせて押圧し、容器本体１１１のフランジ部１１３の縁端がオーバーキャップ１１の「П」印状の舌片部１５に当接する状態を乗り越えせしめて、フランジ係合部４に容器１１１のフランジ部１１３を収納係合せしめて、オーバーキャップ１１を容器本体１１１の開口部１１２に冠着保持せしめる。
【００１７】
このように容器本体１１１の開口部１１２に冠着して保持された本発明のオーバーキャップ１１は、この容器に、その搬送中や陳列中に外的衝撃が付与された時に、上下に移動するが、図４−（Ｂ）の如き作用して、容器本体１１１より脱離し難くなり、脱離を防止して、冠着が保持される。
即ち、図４−（Ｂ）において、外的衝撃によりオーバーキャップ１１が上方に向けて移動すると、「П」印状の舌片部１５の上部先端１５ａの上向き係止切り込み部１７が前記容器本体１１１のフランジ部１１３の下面に当接して、オーバーキャップ１１が上方に向けて移動するのを係止することとなって、オーバーキャップ１１は容器本体１１１から離脱することが防止される。
【００１８】
このような実施の形態のオーバーキャップ１１にあっては、衝撃によって生ずる容器本体１１１からの離脱を効果的に防止すると共に、上向き係止切り込み部１７の上部に、第１の実施の参考例の膨出突部５の如き内側に膨出する突部が無いので、オーバーキャップ１１の容器本体１１１への冠着が極めて容易になり作業性が向上する。
【００１９】
なお、この実施の形態でのオーバーキャップ１１における上向き係止切り込み部１７の形成に当たっての切り込み１６の形状として、上記「П」印状の他に、図５に図示する如き「台形」状に切り込んでも良く、又、「∩」印状、「∧」印状等の切り込みにしても良く、同様の作用効果を奏する。
なお又、上記した上向き係止切り込み部１７の設置数は複数個で設ければ離脱防止効果を奏するが、３個所以上の数設ければより好ましい。
【００２０】
＜第２の実施の参考例＞
次に本発明のオーバーキャップの第２の実施の参考例について説明する。図６は、本発明の第２の実施の参考例の容器用オーバーキャップの一例を説明する正面図、図７は該第２の実施の参考例のオーバーキャップ２１を容器本体１１１に冠着した時の作用を説明するもので、図７−（Ａ）はオーバーキャップ２１を容器本体１１１に冠着した状態の冠着部の概略部分拡大断面図、図７−（Ｂ）はオーバーキャップ２１の容器本体１１１への冠着状態における脱離防止時の冠着部の概略部分拡大断面図である。
なお、図６及び図７において、図１及び図２と共通する構成部は同一符号を付し詳細な説明は省略する。
【００２１】
この第２の実施の参考例のオーバーキャップ２１の特徴は、上記図１及び図２に図示した第１の実施の参考例のオーバーキャップ１において周壁に沿って内側に膨出する膨出突部５を、その頂部近傍を周方向に沿って「−」印状や「∧」印状の切り込み６を刻切して、膨出突部５これを上半部５ａと下半部５ｂと分断し、その下半部５ｂの上面を上向き係止切り込み部７としたのを、図６及び図７に図示する如く、上記膨出突部５の上半部５ａを打ち抜いて、除去して窓２６を設けるようにしたものである。そして膨出突部の下半部５ｂの上端面を上向き係止切り込み部２７としたものである。
【００２２】
かかる構成よりなるこの第２の実施の参考例のオーバーキャップ２１は、図７−（Ａ）に図示する如き態様で、容器本体１１１の開口部１１２のフランジ部１１３をフランジ係合部４に嵌合して冠着係合される。即ち、密封蓋１１４で開口部１１２をシールした容器本体１１１の開口部１１２のフランジ部１１３に、オーバーキャップ２１を開口部３を介して覆いかぶせて押圧し、容器本体１１１のフランジ部１１３の縁端がオーバーキャップ２１の膨出突部の下半部５ｂに当接する状態を乗り越えせしめて、フランジ係合部４に容器１１１のフランジ部１１３を収納係合せしめて、オーバーキャップ２１を容器本体１１１の開口部１１２に冠着保持せしめる。
【００２３】
このように容器本体１１１の開口部１１２に冠着して保持された本発明のオーバーキャップ２１は、この容器に、その搬送中や陳列中に外的衝撃が付与された時に、上下に移動するが、図７−（Ｂ）の如き作用して、容器本体１１１より脱離し難くなり、脱離を防止して、冠着が保持される。
即ち、図７−（Ｂ）において、外的衝撃によりオーバーキャップ２１が上方に向けて移動すると、膨出突部５の下半部５ｂの上端面でなる上向き係止切り込み部２７が容器本体１１１のフランジ部１１３の下面に当接して、オーバーキャップ２１が上方に向けて移動するのを係止することとなって、オーバーキャップ２１は容器本体１１１から離脱することが防止される。
【００２４】
このような構成よりなる第２の実施の参考例のオーバーキャップ２１にあっては、衝撃によって生ずる容器本体１１１からの離脱を効果的に防止すると共に、上向き係止切り込み部２７の上部位置に第１の実施の参考例の膨出突部５の上半部５ａの如き内側に膨出する突部が無いので、オーバーキャップ２１を容器本体１１１に冠着する際、抵抗が半減して、冠着が極めて容易になり作業性が向上する。更に、複数個を重ね合わせた際の安定性やコンパクト性が良く、スタック性が優れている。
なお、上記した上向き係止切り込み部２７の設置数は複数個で設ければ離脱防止効果を奏するが、３個所以上の数設ければより好ましい。
【００２５】
＜第３の実施の参考例＞
次に本発明のオーバーキャップの第３の実施の参考例について説明する。図８は、本発明の第３の実施の参考例の容器用オーバーキャップの一例を説明する正面図、図９は該第３の実施の参考例のオーバーキャップ３１を容器本体１１１に冠着した時の作用を説明するもので、図９−（Ａ）はオーバーキャップ３１を容器本体１１１に冠着した状態の冠着部の概略部分拡大断面図、図９−（Ｂ）はオーバーキャップ３１の容器本体１１１への冠着状態における脱離防止時の冠着部の概略部分拡大断面図である。
なお、図８及び図９において、図１及び図２と共通する構成部は同一符号を付し詳細な説明は省略する。
【００２６】
この第３の実施の参考例のオーバーキャップ３１の特徴は、上記図１及び図２に図示した第１の実施の参考例のオーバーキャップ１において周壁に沿って内側に膨出する膨出突部５を、その頂部近傍を周方向に沿って「−」印状や台形状、「∩」印状、「Π」印状、「∧」印状等の切り込み６を刻切して、膨出突部５これを上半部５ａと下半部５ｂと分断し、その下半部５ｂの上面を上向き係止切り込み部７としたのを、図８及び図９に図示する如く、上記内側に膨出した膨出突部５の上半部５ａを外側に向け押し出して、周壁面に沿った状態に保持せしめたものである。即ち、上記図６及び図７で図示した第２の実施の参考例で膨出突部５の上半部５ａを除去して形成せしめた窓２６を、この上半部５ａを残して前記窓部２６を遮蔽する遮蔽板３５としたものである。そして膨出突部の下半部５ｂの上端面を上向き係止切り込み部３７としたものである。
【００２７】
かかる構成よりなるこの第３の実施の参考例のオーバーキャップ３１は、図９−（Ａ）に図示する如き態様で、容器本体１１１の開口部１１２のフランジ部１１３をフランジ係合部４に嵌合して冠着係合される。即ち、密封蓋１１４で開口部１１２をシールした容器本体１１１の開口部１１２のフランジ部１１３に、オーバーキャップ３１を開口部３を介して覆いかぶせて押圧し、容器本体１１１のフランジ部１１３の縁端がオーバーキャップ３１の膨出突部の下半部５ｂに当接する状態を乗り越えせしめて、フランジ係合部４に容器１１１のフランジ部１１３を収納係合せしめて、オーバーキャップ３１を容器本体１１１の開口部１１２に冠着保持せしめる。
【００２８】
このように容器本体１１１の開口部１１２に冠着して保持された本発明のオーバーキャップ３１は、この容器に、その搬送中や陳列中に外的衝撃が付与された時に、上下に移動するが、図９−（Ｂ）の如き作用して、容器本体１１１より脱離し難くなり、脱離を防止して、冠着が保持される。
即ち、図９−（Ｂ）において、外的衝撃によりオーバーキャップ３１が上方に向けて移動すると、膨出突部５の下半部５ｂの上端面でなる上向き係止切り込み部３７が容器本体１１１のフランジ部１１３の下面に当接して、オーバーキャップ３１が上方に向けて移動するのを係止することとなって、オーバーキャップ３１は容器本体１１１から離脱することが防止される。
【００２９】
このような構成よりなる第３の実施の参考例のオーバーキャップ３１にあっては、衝撃によって生ずる容器本体１１１からの離脱を効果的に防止すると共に、上向き係止切り込み部３７の上部位置に、第１の実施の参考例の膨出突部５の上半部５ａの如き内側に膨出する突部が無いので、オーバーキャップ３１を容器本体１１１に冠着する際、抵抗が半減して、冠着が極めて容易になり作業性が向上する。しかも、この実施の参考例のオーバーキャップ３１にあっては、上向き係止切り込み部３７の形成で生じる窓２６を遮蔽するようにしているので、オーバーキャップ３１内への塵埃の進入を低減し、商品としての評価を良好に保持することが出来る。更に、複数個を重ね合わせた際の安定性やコンパクト性が良く、スタック性が優れている。
また、オーバーキャップ３１を製造するに際して、打ち抜いて除去した抜きカスが発生することがないため、抜きカスが、オーバーキャップ３１、容器本体１１１の開口部１１２、密封蓋１１４等に付着することがなく、より衛生的である。
なお、上記した上向き係止切り込み部３７の設置数は複数個で設ければ離脱防止効果を奏するが、３個所以上の数設ければより好ましい。
以上説明した本発明の実施の形態及び参考例（特に第１、２、３の実施の参考例）においては、膨出突部５が断続的に形成されている態様を説明してきたが、例えば、膨出突部５が連続的に全周にわたって環状に形成されている態様であっても、好適であることはいうまでもない。
また、容器本体１１１として円柱状のものを示しているが、これは、例えば、角柱状、その他、種々の形状のものであっても差し支えない。
【図面の簡単な説明】
【００３０】
【図１】本発明の容器用オーバーキャップの第１の実施の参考例を説明する正面図。
【図２】第１の実施の参考例のオーバーキャップの作用を説明するもので、図２−（Ａ）はオーバーキャップを容器本体に冠着した状態の冠着部の概略部分拡大断面図、図２−（Ｂ）はオーバーキャップの容器本体への冠着状態における脱離防止時の冠着部の概略部分拡大断面図。
【図３】本発明の容器用オーバーキャップの実施の形態を説明する正面図。
【図４】本発明の実施の形態のオーバーキャップの作用を説明するもので、図４−（Ａ）はオーバーキャップを容器本体に冠着した状態の冠着部の概略部分拡大断面図、図４−（Ｂ）はオーバーキャップの容器本体への冠着状態における脱離防止時の冠着部の概略部分拡大断面図。
【図５】本発明の実施の形態のオーバーキャップの変形の正面図。
【図６】本発明の容器用オーバーキャップの第２の実施の参考例を説明する正面図。
【図７】第２の実施の参考例のオーバーキャップの作用を説明するもので、図７−（Ａ）はオーバーキャップを容器本体に冠着した状態の冠着部の概略部分拡大断面図、図７−（Ｂ）はオーバーキャップの容器本体への冠着状態における脱離防止時の冠着部の概略部分拡大断面図。
【図８】本発明の容器用オーバーキャップの第３の実施の参考例を説明する正面図。
【図９】第３の実施の参考例のオーバーキャップの作用を説明するもので、図９−（Ａ）はオーバーキャップを容器本体に冠着した状態の冠着部の概略部分拡大断面図、図９−（Ｂ）はオーバーキャップの容器本体への冠着状態における脱離防止時の冠着部の概略部分拡大断面図。
【図１０】従来のオーバーキャップを冠着した容器の一例を説明するもので、組み立て図を示す。
【図１１】従来のオーバーキャップを冠着した容器の一例を説明するもので、一部切開断面図を示す。
【符号の説明】
【００３１】
４  フランジ係合部
１１  容器用オーバーキャップ
１７  上向き係止切り込み部
１１２  容器開口部
１１３  フランジ部
【図１】
0004593586.tif 000002
【図２】
0004593586.tif 000003
【図３】
0004593586.tif 000004
【図４】
0004593586.tif 000005
【図５】
0004593586.tif 000006
【図６】
0004593586.tif 000007
【図７】
0004593586.tif 000008
【図８】
0004593586.tif 000009
【図９】
0004593586.tif 000010
【図１０】
0004593586.tif 000011
【図１１】
0004593586.tif 000012